(57)【要約】      （修正有）【課題】効率良くワークに貼付物を貼り付けることを目的とする。【解決手段】貼付物を剥離紙Ｐより剥離方向に剥離してワークＷに貼り付ける貼付物の貼付方法である。開口部１２を有する治具１０を準備する。剥離紙Ｐが表面になるように、貼付物を配置する。貼付物の剥離方向の前側から略２／３以上の長さまでが開口部１２から覗くように、治具１０を剥離紙Ｐの上に載置する。開口部１２から覗く剥離紙Ｐを剥離する。ワークＷの一部を貼付物の剥離方向の前側の先端部に貼り付けるように、ワークＷを開口部１２に配置する。開口部１２において剥離方向の後側に向けてワークＷを転動することによって、ワークＷに貼付物を貼り付ける。【選択図】図４
2019172285.tif 000002
【特許請求の範囲】
【請求項１】
貼付物を剥離紙より所定方向に剥離してワークに貼り付ける貼付物の貼付方法であって、
開口部を有する治具を準備し、
前記剥離紙が表面になるように、前記貼付物を配置し、
前記貼付物の所定方向の一側から略２／３以上の長さまでが前記開口部から覗くように、前記治具を前記剥離紙の上に載置し、
前記開口部から覗く前記剥離紙を剥離し、
前記ワークの一部を前記貼付物の前記所定方向の一側の先端部に貼り付けるように、前記ワークを前記開口部に配置し、
前記開口部において前記所定方向の他側に向けて前記ワークを転動することによって、前記ワークに前記貼付物を貼り付ける、
貼付物の貼付方法。
【請求項２】
請求項１記載の貼付物の貼付方法であって、
前記治具は、第１基準指標部を備え、
前記剥離紙を剥離するときは、前記第１基準指標部に前記剥離紙の所定位置を合わせる、
貼付物の貼付方法。
【請求項３】
請求項１または２に記載の貼付物の貼付方法であって、
前記治具は、第２基準指標部をさらに備え、
前記ワークの一部を前記貼付物の前記所定方向の一側の先端部に貼り付けるときは、前記第２基準指標部に前記ワークの所定位置を合わせる、
貼付物の貼付方法。
【請求項４】
貼付物を剥離紙より所定方向に剥離してワークに貼り付けるための治具であって、
略長方形の薄板状である本体部と、
前記本体部に設けられ、前記貼付物の所定方向長さの少なくとも一部及び前記ワークを配置するための開口部と、
を備え、
前記本体部の前記開口部の周囲には、前記開口部に前記ワークを配置するときのワークの所定位置を合わせる指標となる第１基準指標部が設けられ、
前記本体部には、前記貼付物から前記剥離紙を剥離したときの前記剥離紙の所定位置を合わせる指標となる第２基準指標部が設けられ、
前記開口部の前記所定方向の長さは、前記開口部に配置される前記ワークの前記所定方向長さよりも大きく、前記ワークの前記所定方向長さと前記貼付物の所定方向長さとの合計よりも小さい、
治具。
【請求項５】
請求項４記載の治具であって、
前記開口部の前記所定方向の長さは、前記ワークの前記所定方向長さと前記貼付物の前記所定方向長さの２／３との合計以上である、
治具。
【発明の詳細な説明】
【技術分野】
【０００１】
本発明は、貼付物の貼付方法およびそれに用いられる治具に関する。
【背景技術】
【０００２】
ワークに貼り付けられる貼付物が知られている。例えば、特許文献１は、貼付物としてのラベルが開示されている。
【先行技術文献】
【特許文献】
【０００３】
【特許文献１】特開平０８−３４４１９号公報
【発明の概要】
【発明が解決しようとする課題】
【０００４】
例えば、貼付物としてのクッションシールは、作業者の手作業によってワークに貼り付けられる。クッションシールの貼り付け作業では、クッションシールが脆く軽量なため、作業者がピンセット等を用いて慎重に作業する必要がある。そのため、作業工数が嵩み、作業効率が悪い。
本発明は、効率良くワークに貼付物を貼り付けることを目的とする。
【課題を解決するための手段】
【０００５】
本願の例示的な一実施形態の貼付物の貼付方法は、貼付物を剥離紙より所定方向に剥離してワークに貼り付ける貼付物の貼付方法である。開口部を有する治具を準備する。剥離紙が表面になるように、貼付物を配置する。貼付物の所定方向の一側から略２／３以上の長さまでが開口部から覗くように、治具を剥離紙の上に載置する。開口部から覗く剥離紙を剥離する。ワークの一部を貼付物の所定方向の一側の先端部に貼り付けるように、ワークを開口部に配置する。開口部において所定方向の他側に向けてワークを転動することによって、ワークに貼付物を貼り付ける。
【発明の効果】
【０００６】
本願の例示的な実施形態によれば、効率良くワークに貼付物を貼り付けることができる。
【図面の簡単な説明】
【０００７】
【図１Ａ】図１Ａは、貼付物の模式図である。
【図１Ｂ】図１Ｂは、ワークの模式図である。
【図２】図２は、治具の模式図である。
【図３】図３は、貼付工程のフローを示すフローチャートである。
【図４】図４は、貼付工程の一工程を示す平面図である。
【図５】図５は、図４のＡＡ断面図である。
【発明を実施するための形態】
【０００８】
以下、図面を参照しながら、本発明の実施形態について説明する。なお、本発明の範囲は、以下の実施形態に限定されず、本発明の技術的思想の範囲内で任意に変更可能である。
【０００９】
以下の説明で用いる図面は、特徴部分を強調する目的で、便宜上特徴となる部分を拡大して示す場合がある。よって、各構成要素の寸法及び比率は実際のものと必ずしも同じではない。また、同様の目的で、特徴とならない部分を省略して図示する場合がある。
【００１０】
＜１−１．貼付物＞
図１Ａを用いて、貼付物Ｓについて説明する。
なお、以下では、図１の剥離方向または幅方向に従って説明する。また、剥離方向または幅方向については、剥離方向または幅方向の貼付順に基づいて前側と後側とを定義する。
【００１１】
貼付物Ｓは、貼付工程Ｓ１０において、ワークＷに貼り付けられる。貼付物Ｓは、略直方体である。貼付物Ｓの裏面には、接着層がある。貼付物Ｓは、例えばクッションシートが用いられる。ここで、貼付物Ｓの剥離方向の長さを「貼付長さＳｌ」する。
【００１２】
貼付物Ｓは、ワークＷに貼り付けられる前には、剥離紙Ｐに整列して貼り付けられている。ここで、剥離紙Ｐに整列して貼り付けられている複数の貼付物Ｓを「貼付前の複数の貼付物Ｓｉ」とする。
【００１３】
貼付前の複数の貼付物Ｓは、剥離方向の前側の列の複数の貼付物ＳからワークＷに貼り付けられる。ここで、ワークＷに貼り付けられる前側の列の複数の貼付物Ｓを「最前列の貼付物Ｓｆ」とする。最前列の貼付物ＳｆのうちワークＷに貼り付けられようとする幅方向の前側の貼付物Ｓを「対象貼付物Ｓｔ」とする。なお、単に貼付物Ｓを示すときには、「貼付物Ｓ」とする。
【００１４】
＜１−２．ワーク＞
図１Ｂを用いて、ワークＷについて説明する。
なお、図１Ｂでは、説明を分かり易くするため、貼付物Ｓを貼り付け前のワークＷと貼付物Ｓの貼り付け後のワークＷとを表している。
【００１５】
ワークＷは、貼付工程Ｓ１０において、貼付物Ｓが貼り付けられる。ワークＷは、転動可能である。ワークＷは、略円柱状である。ワークＷは、例えばモータが用いられる。ワークＷの転動面（側面）には、貼付物Ｓが貼り付けられる。
【００１６】
ここで、ワークＷの転動可能な方向の長さを「ワーク幅Ｗｄ」とする。また、ワークＷ固有の所定位置を「所定位置Ｗｔ」とする。所定位置Ｗｔは、例えばワークＷがモータであれば側面にある切り欠きが用いられる。
【００１７】
＜１−３．治具＞
図２を用いて、治具１０について説明する。
なお、以下では、図２の剥離方向または幅方向に従って説明する。また、図１の剥離方向および幅方向と図２の剥離方向および幅方向とがそれぞれ同一方向となるように、治具１０を貼付前の複数の貼付物Ｓｉに載置する。
【００１８】
治具１０は、貼付工程Ｓ１０において、貼付物ＳをワークＷに貼り付けるときに用いられる。治具１０は、本体部１１と、開口部１２と、を備える。本体部１１は、略長方形の薄板状である。本体部１１の素材は、例えばプラスチックが用いられる。開口部１２は、本体部１１の剥離方向の前部に設けられる。開口部１２は、略長方形である。
【００１９】
開口部１２の剥離方向の長さは、ワーク幅Ｗｄより大きい。また、開口部１２の剥離方向の長さは、ワーク幅Ｗｄと貼付物Ｓの貼付長さＳｌとの合計よりも小さい。より詳しくは、開口部１２の剥離方向の長さは、ワーク幅Ｗｄと貼付物長さＳｌの２／３との合計以上である。開口部１２の幅方向の長さは、貼付前の複数の貼付物Ｓｉの幅方向の長さよりも大きい。
【００２０】
本体部１１の開口部１２の剥離方向の前側の縁部には、第１基準指標部Ｔ１が設けられる。第１基準指標部Ｔ１は、開口部１２にワークＷを配置するときのワークＷの所定位置Ｗｔを合わせる指標となる。第１基準指標部Ｔ１は、例えば塗料でマーキングされている。
【００２１】
第１基準指標部Ｔ１の位置は、ワークＷの所定位置Ｗｔが第１基準指標部Ｔ１に合わせられたときに、対象貼付物Ｓｔの剥離方向の前端がワークＷの貼付開始位置に合わさるように、決定されている。第１基準指標部Ｔ１は、最前列の貼付物Ｓｆにおける対象貼付物Ｓｔの個数分だけ設けられている。
【００２２】
本体部１１の幅方向の前側および後側の縁部には、第２基準指標部Ｔ２が設けられる。第２基準指標部Ｔ２は、開口部１２から覗く貼付物Ｓから剥離紙Ｐを剥離したときの剥離紙Ｐの剥離方向の前端を合わせる指標となる。第２基準指標部Ｔ２は、例えば塗料でマーキングされている。
【００２３】
第２基準指標部Ｔ２の位置は、剥離した剥離紙Ｐの前端を第２基準指標部Ｔ２に合わせたときに、最前列の貼付物Ｓｆの貼付長さＬの略２／３分の長さが剥離するように、決定されている。第２基準指標部Ｔ２は、貼付前の複数の貼付物Ｓｉのうちの最前列の貼付物Ｓｆの列数分だけ設けられている。
【００２４】
＜１−３．貼付工程＞
図３乃至図５を用いて、貼付工程Ｓ１０について説明する。
なお、図４および図５は、説明を分かり易くするため、ステップＳ１４の状態を表している。また、図５は、図４のＡＡ断面図を表している。
貼付工程Ｓ１０は、作業者がワークＷに貼付物Ｓを貼り付ける工程である。
【００２５】
ステップＳ１１において、作業者は、貼付前の複数の貼付物Ｓｉを例えば作業スペースに配置する。このとき、剥離紙Ｐが表面を向くように配置する。
【００２６】
ステップＳ１２において、作業者は、貼付前の複数の貼付物Ｓｉの剥離紙Ｐの上に治具１０を載置する。このとき、治具１０の開口部１２から最前列の貼付物Ｓｆの剥離方向の長さの略２／３が覗くように載置する。なお、最前列の貼付物Ｓｆが全て貼り付け終わった場合には、貼付前の複数の貼付物Ｓｉに対し治具１０を剥離方向の後方にずらす。
【００２７】
ステップＳ１３において、作業者は、最前列の貼付物Ｓｆから剥離紙Ｐを剥離し、剥離した剥離紙Ｐの前端を第２基準指標部Ｔ２に合わせテープ２０にて仮止めする。このとき、剥離紙Ｐは開口部１２の幅方向の後側の縁で折り曲げられるものとする。
【００２８】
ステップＳ１４において、作業者は、対象貼付物Ｓｔの上にワークＷを載置する。このとき、作業者は、ワークＷの所定位置Ｗｔを第１基準指標部Ｔ１に合わせるように、対象貼付物Ｓｔの上にワークＷを載置する。このとき、対象貼付物Ｓｔの剥離方向の前側の端部がワークＷに貼り付けられる。
【００２９】
ステップＳ１５において、作業者は、ワークＷを剥離方向の後側に向けて転動させ、ワークＷに対象貼付物Ｓｔの貼付長さＬの略２／３を貼り付ける。このとき、ステップＳ１４において、対象貼付物Ｓｔの左端部がワークＷに貼り付けられていることによって、対象貼付物Ｓｔに対しワークＷがずれることはない。
【００３０】
ステップＳ１６において、作業者は、治具１０を貼付方向の後側に少しずらし、ワークＷに対象貼付物Ｓｔの残りの貼付長さＬの略１／３を貼り付ける。
【００３１】
なお、ステップＳ１１は、貼付前の複数の貼付物ＳｉがワークＷに貼り付けられる毎に実行する。ステップＳ１２からステップＳ１３は、最前列の貼付物ＳｆがワークＷに貼り付けられる毎に実行する。また、ステップＳ１４からステップＳ１６までは、対象貼付物ＳｔがワークＷに貼り付けられる毎に実行する。
【００３２】
＜１−４．効果＞
貼付工程Ｓ１０によれば、効率良くワークＷに貼付物Ｓを貼り付けることができる。例えば、脆く軽量なクッションシールの貼り付け作業では、作業者がピンセット等を用いて慎重に作業する必要があり作業効率が悪い。しかし、貼付工程Ｓ１０によれば、治具１０によってワークＷおよび貼付物Ｓを位置決めし、ワークＷを転動することによって効率良くワークＷに貼付物Ｓを貼り付けることができる。
【００３３】
＜２．その他の実施形態＞
貼付工程Ｓ１０では、貼付前の複数の貼付物Ｓｉのうちの対象貼付物ＳｔをワークＷに貼り付ける構成としたが、単に一枚の貼付物が剥離紙に貼り付けられる状態からワークＷに貼り付ける構成であっても良い。
【００３４】
貼付工程Ｓ１０では、ワークＷが略円柱状である構成としたが、ワークＷが転動可能であれば良い。例えば、ワークＷの転動方向の断面視が長方形または三角形であっても良い。
【符号の説明】
【００３５】
１０…治具、１２…開口部、Ｐ…剥離紙、Ｓｉ…貼付前の複数の貼付物、Ｓｆ…最前列の貼付物、Ｓｔ…対象貼付物、Ｓ…貼付物、Ｓｌ…貼付物長さ、Ｔ１…第１基準指標部、Ｔ２…第２基準指標部、Ｗ…ワーク、Ｗｄ…ワーク幅、Ｗｔ…所定位置
【図１Ａ】
2019172285.tif 000003
【図１Ｂ】
2019172285.tif 000004
【図２】
2019172285.tif 000005
【図３】
2019172285.tif 000006
【図４】
2019172285.tif 000007
【図５】
2019172285.tif 000008